(57)【要約】【課題】  スライド式ドアロック装置において、減速機構等を付設して構造の複雑化を招かずに、表示板によるドア施解錠状態の切換表示をズレなく常に正確に行う。【解決手段】  ロックバー１０には、溝部底面１５にラック２０と平行に回転規制溝２１を設け、回転規制溝を、溝幅が深さ方向に漸次狭まる向きに溝面を設けたテーパ溝により形成する。回転軸３０は、軸基端にピニオンギヤ３０ｂを設け、基端面に角穴３３を穿設し、その角穴３３に圧縮コイルばね３４を巻装したガイドピース３５を出没自在に挿設する。ガイドピースには、先端側に回転規制溝２１のテーパ溝形状と対応するテーパ面を付けて漸次先細に成形した先端係合部３６ｂを設ける。取付ブロック１１は、回転軸を、付勢ばね３１でロックバーの溝部底面に向け常時付勢してピニオンギヤがラックの表示切換用ギヤ部２０ａと噛み合うと共に、ガイドピースの先端係合部が回転規制溝に係合する位置で保持する。【選択図】          図１
2005120767.tif 000002
【特許請求の範囲】
【請求項１】
ドアを施解錠する内側のロック手段と、外側の取手とをドアを挟んで締着し、前記ロック手段に備える取付ブロックに対し略みぞ形のロックバーを摺動自在に係合し、該ロックバーを摺動させてドアを内側から施解錠すると同時に、前記ロックバーの摺動を、ラックピニオン機構により回転運動に変換し、その回転を回転軸の軸先端に取り付ける表示板に伝達し、該表示板上の異なる区分表示面を切り換えて前記取手に有する表示窓からドアの施解錠状態を表示するスライド式ドアロック装置において、
下記（Ａ）、（Ｂ）、（Ｃ）、（Ｄ）、（Ｅ）及び（Ｆ）の構成要件を備えてなることを特徴とするスライド式ドアロック装置。
（Ａ）前記ロック手段のロックバーは、その長手方向に沿って内向きにラックを設け、該ラックを、長さ方向中間部の表示切換用ギヤ部と、該ギヤ部の両側にあってそれより溝部底面寄りの高さ位置に設ける非常時解錠用ギヤ部とで構成すること。
（Ｂ）前記ロックバーは、その溝部底面に前記ラックと平行な回転規制溝を設け、その回転規制溝を、溝幅が深さ方向に漸次狭まる向きに溝面を設けたテーパ溝により形成すること。
（Ｃ）前記回転軸の基端に前記ラックと噛み合うピニオンギヤを設け、そのピニオンギヤを前記取付ブロックで回転可能に且つ軸方向に移動自在に支持すること。
（Ｄ）前記回転軸には、その基端面に角穴を穿設し、その角穴に圧縮コイルばねを巻装したガイドピースを出没自在に挿設すること。
（Ｅ）該ガイドピースには、その先端側に前記回転規制溝のテーパ溝形状と対応するテーパ面を付けて漸次先細に成形した先端係合部を設けること。
（Ｆ）前記取付ブロックは、前記回転軸を、付勢手段で前記ロックバーの溝部底面に向け常時付勢して前記ピニオンギヤが前記ラックの表示切換用ギヤ部と噛み合うと共に、前記ガイドピースの先端係合部が前記回転規制溝に係合する位置に位置決め保持すること。
【発明の詳細な説明】
【技術分野】
【０００１】
本発明は、トイレ等のドアに設置されるもので、ドアの内側にロック手段を設ける一方、外側にドアの取手を設けたドアロック装置の技術分野に属する。詳しくは、ロック手段に備える取付ブロックに対しロックバーを摺動自在に係合し、そのロックバーを往復摺動させてドアを施解錠すると同時に、ロックバーの摺動と連動させて取手側でドアの施解錠状態を切換表示するスライド式ドアロック装置に関する。
【背景技術】
【０００２】
従来、この種のスライド式ドアロック装置は、たとえば図１２に示すように、ドアｄを施解錠する内側のロック手段ａと、外側の取手ｂとをドアｄを間に挟んで締着し、ロック手段ａに備える取付ブロック１に対しみぞ形のロックバー２を摺動自在に係合し、ドアｄの閉止後、ロックバー２を往復摺動させて、ドアｄを内側から施解錠すると同時に、ロックバー２の摺動をラックピニオン機構で回転運動に変換し、その回転を、回転軸３の軸先端に取り付ける円板状の表示板４に伝達し、表示板４上に設ける異なる区分表示面を切り換えて取手ｂの表示窓５からドアｄの施解錠状態を外部に表示する構造になっている。
【０００３】
そのため、ロック手段ａには、ロックバー２内の片側に長手方向に沿ってラック６を設ける一方、回転軸３の基端にラック６と噛み合うピニオンギヤ７を設け、その回転軸３を取付ブロック１で回転可能に保持している。さらに、回転軸３には、軸先端に減速ギヤ列ｇを配設し、減速ギヤ列ｇを介して回転軸３を表示板４に連結した構成にしている。
【０００４】
そこで、通常は、ロックバー２を所定ストローク往復摺動させると、それに応じてドアｄが施解錠される同時に、ラック６との噛み合いを介してピニオンギヤ７が正逆回転し、その回転を減速ギヤ列ｇで減速して表示板４に伝達し、その都度、表示板４を正逆方向に半回転させ、その回動方向に応じて表示窓５から臨む表示板４の異なる区分表示面を切り換えて、ドアｄの施解錠状態を外部に表示している。
【０００５】
他方、施錠状態で使用者がトイレ内で倒れるなど、非常事態の発生時には、ドアｄの外側から、図示省略するが、非常解錠専用キー等の操作工具を、表示窓５から表示板４の中心小穴に差し込んで回動操作すると、回転軸３と一体にピニオンギヤ７が回転し、ラック６との噛み合いを介してロックバー２を解錠方向へ摺動させてドアｄを解錠している。
【特許文献１】実開平７−１４０４２号公報
【発明の開示】
【発明が解決しようとする課題】
【０００６】
ところが、上述した従来のスライド式ドアロック装置では、ロックバー２が所定ストローク摺動してピニオンギヤ７が数回転しても、表示板４は正逆方向に常に半回転して切換表示できるように、ピニオンギヤ７と表示板４間に減速ギヤ列ｇを組み込んで減速機構を備えた構成であるため、それだけ部品点数が増加して構造が複雑化し、装置の組み立ても面倒でコスト高にもなるという欠点があった。
【０００７】
そこで、出願人は、公知ではないが、別途に減速機構を備えないで、表示板によるドアの施解錠状態の切換表示を可能にするスライド式ドアロック装置を提案している。
【０００８】
この従来のスライド式ドアロック装置は、図１３に示すように、ロックバー２のラック６を、長さ方向中間部の表示切換用ギヤ部６ａと、該ギヤ部６ａの長さ方向両側に設ける非常時解錠用ギヤ部６ｂ・６ｃとに分割して構成している。その中で特に、表示切換用ギヤ部６ａは、ロックバー２を摺動させてピニオンギヤ７を回動させたとき、ピニオンギヤ７が表示板４と一体に半回転する数の歯を設けて形成されている。さらに、非常時解錠用ギヤ部６ｂ・６ｃは、表示切換用ギヤ部６ａと設置高さ位置を違え、それよりロックバー２の溝部底面２ａ寄りの位置に形成している。そして、常時は、回転軸３を不図示の位置決め用付勢ばねでロックバー２の溝部底面２ａ側へ付勢し、ピニオンギヤ７を表示切換用ギヤ部６ａと噛み合える高さ位置に位置決め支持した構成にしている。
【０００９】
そこで、通常時、ロックバー２を所定ストローク往復摺動させると、それに応じてドアが施解錠されると同時に、ラック６が表示切換用ギヤ部６ａにてピニオンギヤ７と噛み合うと、その都度、正逆方向に半回転し、その回転方向に応じて表示板の区分表示面を切り換えて、ドアの施解錠状態を外部に表示している。一方、非常時は、ドアの外側から、非常解錠専用の操作工具を表示板の中心小穴に差し込み、位置決め付勢ばねに抗して回転軸３をドアの内側へ押し込んで、ピニオンギヤ７を非常時解錠用ギヤ部６ｃに噛み合わせる。そして、操作工具を解錠方向へ回してピニオンギヤ７を回転させ、ラック６との噛み合いを介してロックバー２を解錠位置へと摺動させてドアを解錠するようになっている。
【００１０】
しかしながら、斯かる従来のスライド式ドアロック装置では、減速機構が不要になる利点はあるが、ロックバー２を往復摺動させると、その都度、回転軸３や表示板と共に正逆回転するピニオンギヤ７に強い遠心力が加わり、遠心力の強さによっては、ピニオンギヤ７が表示切換用ギヤ部６ａとの噛み合い位置を過ぎても、勢いで半回転を越えて回動してしまうことがある。従って、そのようなロックバー２の摺動操作が繰り返される結果、経時、表示板の回転角度にズレを生じ、そのために、表示板の区分表示面にてドアの施解錠状態を正確に切換表示することができなくなるという課題があった。
【００１１】
そこで、本発明の目的は、減速機構などを別に付設して構造の複雑化を招くことなく、表示板によるドアの施解錠状態の切換表示を、ズレなく常に正確に行えるスライド式ドアロック装置を提供することにある。
【課題を解決するための手段】
【００１２】
そこで、上述した課題を解決すべく、請求項１に記載の発明は、たとえば以下に示す図示実施の形態のとおり、ドアＤを施解錠する内側のロック手段Ａと、外側の取手ＢとをドアＤを挟んで締着し、前記ロック手段Ａに備える取付ブロック１１に対し略みぞ形のロックバー１０を摺動自在に係合し、該ロックバー１０を摺動させてドアＤを内側から施解錠すると同時に、前記ロックバー１０の摺動を、ラックピニオン機構により回転運動に変換し、その回転を回転軸３０の軸先端に取り付ける表示板４０に伝達し、該表示板４０上の異なる区分表示面を切り換えて前記取手Ｂに有する表示窓４５からドアＤの施解錠状態を表示するスライド式ドアロック装置において、下記（Ａ）、（Ｂ）、（Ｃ）、（Ｄ）、（Ｅ）及び（Ｆ）の構成要件を備えてなることを特徴とする。
即ち、（Ａ）前記ロック手段Ａのロックバー１０は、その長手方向に沿って内向きにラック２０を設け、該ラック２０を、長さ方向中間部の表示切換用ギヤ部２０ａと、該ギヤ部２０ａの両側にあってそれより溝部底面１５寄りの高さ位置に設ける非常時解錠用ギヤ部２０ｂ・２０ｃとで構成すること、（Ｂ）前記ロックバー１０は、その溝部底面１５に前記ラック２０と平行な回転規制溝２１を設け、その回転規制溝２１を、溝幅が深さ方向に漸次狭まる向きに溝面を設けたテーパ溝により形成すること、（Ｃ）前記回転軸３０の基端に前記ラック２０と噛み合うピニオンギヤ３０ｂを設け、そのピニオンギヤ３０ｂを前記取付ブロック１１で回転可能に且つ軸方向に移動自在に支持すること、（Ｄ）前記回転軸３０には、その基端面に角穴３３を穿設し、その角穴３３に圧縮コイルばね３４を巻装したガイドピース３５を出没自在に挿設すること、（Ｅ）該ガイドピース３５には、その先端側に前記回転規制溝２１のテーパ溝形状と対応するテーパ面ｔを付けて漸次先細に成形した先端係合部３６ｂを設けること、（Ｆ）前記取付ブロック１１は、前記回転軸３０を、付勢ばね３１のような付勢手段で前記ロックバー１０の溝部底面１５に向け常時付勢して前記ピニオンギヤ３０ｂが前記ラック２０の表示切換用ギヤ部２０ａと噛み合うと共に、前記ガイドピース３５の先端係合部３６ｂが前記回転規制溝２１に係合する位置に位置決め保持すること、の６つの構成要件を備えて構成されてなる。
【発明の効果】
【００１３】
請求項１に記載の発明によれば、（１）通常、ドアの内側からロックバーを摺動してドアを施解錠するとき、ピニオンギヤがラックの表示切換用ギヤ部との噛み合いを外れて通り過ぎると、同時に、回転規制溝にガイドピースの先端係合部が係合し、ピニオンギヤのそれ以上の回転がガイドピースによって規制されるため、ピニオンギヤは、表示切換用ギヤ部との噛み合いが外れても、回転後に遠心力の影響を受けることがなく、表示板と共に半回転すると、それ以上の回転が常に阻止される結果、表示板の区分表示面にてドアの施解錠状態をズレなく常に正確に表示窓から外部に切換表示することができる。（２）一方、ドアの外側から非常解錠するときも、ガイドピースは、先端係合部が回転規制溝に係合している。しかし、本発明のスライド式ドアロック装置では、この非常解錠時、回転軸を押し込んで回動すると、ピニオンギヤが非常時解錠用ギヤ部と噛み合い状態になる一方で、回転軸の角穴内で圧縮コイルばねが圧縮され、その圧縮距離だけ、ガイドピースは、僅かに角穴内へ引き込まれるため、圧縮コイルばねのバネ性に抗して先端係合部のテーパ面が回転規制溝の溝面を滑りながら回動することが許容され、その結果、たとえガイドピースが回転規制溝と係合状態にあっても、回転軸を押し回すと、ピニオンギヤを回転させてロックバーを解錠方向へ簡単に摺動させることができる。
【発明を実施するための最良の形態】
【００１４】
以下、図面を参照しつつ、本発明の実施の形態について説明する。
【００１５】
図１および図２は、本発明の一例であるスライド式ドアロック装置を示す分解斜視図である。このスライド式ドアロック装置は、ドアＤを間に挟んで、例えばトイレ内でドアＤの内側に取り付けるロック手段Ａと、外側に取り付ける取手Ｂとを備えてなる。
【００１６】
ロック手段Ａは、金属製のロックバー１０と、樹脂製の取付ブロック１１を備える。ロックバー１０は、全体に略みぞ形に成形してなるが、特に、対向する長手な内側面には、溝部開口１２の開口縁に沿って凸条レール部１３・１４を設け、それら凸条レール部１３・１４と溝部底面１５間にガイド長溝１６・１６を形成している。また、外側面は、その長さ方向中間部を互いに内向きに若干湾曲させて幅狭につくり、そこに把持部１７を形成している。そして、ロックバー１０は、その一端のロック側で溝部を開放し、そこに取付ブロック１１の差込み口１８をあけて変形みぞ形に形成している。
【００１７】
ロックバー１０は、片側の凸条レール部１３を、図３に示すように、一部長さ方向に切り欠いて、その切欠きの両端面に、ロックバー１０の施錠位置と解錠位置間の摺動トロークを規制する突当て段部１３ａ・１３ｂを設けている。さらに、溝部底面１５には、図１でも示すように、一段深さ方向に凹ませて縦長で浅底な矩形凹溝１９を設けている。この矩形凹溝１９には、一側の溝縁１９ａに、長手方向に沿って内向きにラック２０を設けている。ラック２０は、長さ方向中間部の表示切換用ギヤ部２０ａと、該ギヤ部２０ａの両側の非常時解錠用ギヤ部２０ｂ・２０ｃとで構成されている。表示切換用ギヤ部２０ａは、詳しくは後述するピニオンギヤ３０ｂが噛み合うが（図４参照）、ロックバー１０を摺動させてピニオンギヤ３０ｂを回動させたとき、ピニオンギヤ３０ｂが表示板４０と一体に半回転する噛み合い数の歯を設けて形成されている。非常時解錠用ギヤ部２０ｂ・２０ｃは、図１に示すように、表示切換用ギヤ部２０ａと設置高さ位置を違え、それより矩形凹溝１９の底面１９ｂ寄りの高さ位置に設けられている。
【００１８】
加えて、ロックバー１０は、図１および図３に示すように、矩形凹溝１９の底面１９ｂの中央に、ラック２０と平行に細長い回転規制溝２１が設けられている。回転規制溝２１は、ラック２０の非常時解錠用ギヤ部２０ｂ・２０ｃと対応させてそれらの真横に設ける規制溝部２１ａ・２１ｂと、表示切換用ギヤ部２０ａと対応させてその真横に設ける逃げ溝部２１ｃとで構成されている。規制溝部２１ａ・２１ｂは、溝幅が深さ方向に漸次狭まる向きに溝面を設けて断面略Ｖ形状のテーパ溝状に形成されている（図５参照）。一方、逃げ溝部２１ｃは、ピニオンギヤ３０ｂの径寸法より大きいやや幅広に形成されている（図３参照）。
【００１９】
取付ブロック１１は、たとえばインサート樹脂成形により作製し、図１および図２に示すように、取付本体２５の対称な両側面に、長手方向に沿って凹設したガイドレール部２６・２６を一体に設けると共に、取付本体２５の部品組付面１１ａから、内周に雌ねじ穴を螺設した管軸状のスタッド２７・２７を立設してなる。更に、取付本体部２５には、スタッド２７・２７間の部品組付け面１１ａに、回転軸３０を支持するための貫通穴２５ａと、付勢ばね３１を組み込むためにその外形に合わせて形成した差込み細溝２５ｂと、ストッパ３２を組み付けるためにその外形に合わせて形成した取付用切欠き２５ｃが凹設されている。
【００２０】
回転軸３０は、樹脂で一体成形してなり、角軸状をなす本体軸部３０ａの基端に、ピニオンギヤ３０ｂを設けると共に、ピニオンギヤ３０ｂから間隔をあけて先端寄りにリング状のバネ押え部３０ｃを設けている。加えて、回転軸３０は、ピニオンギヤ３０ｂの基端面から、図６に示すように軸方向に角穴３３を穿設し、その角穴３３における対向する内壁面の穴縁寄りに、リブ状に突設した抜け止め凸部３３ａが形成されている。そして、斯かる形状の回転軸３０には、角穴３３内に、ガイドピース３５が圧縮コイルばね３４を介して出没自在に挿設されている。
【００２１】
ガイドピース３５は、金属製で、回転軸３０の角穴３３に係合可能な多面体状のピース本体部３６と、ピース本体部３６の基端面から突設させたコイル装着用の軸部３７とからなる。ピース本体部３６は、その対称な側面に係合リブ３６ａを突設すると共に、軸部３７と反対側の先端係合部３６ｂを、それにテーパ面ｔを付けて漸次先細に成形し、ロックバー１０の規制溝部２１ａ・２１ｂのテーパ溝形状に合わせて断面略Ｖ形状に形成している。斯かる形状のガイドピース３５は、軸部３７に圧縮コイルばね３４を巻装してピース本体部３６を回転軸３０の角穴３３内に押し込んで挿設され、係合リブ３６ａを抜け止め凸部３３ａに当てて抜け止めされ、常時は先端係合部３６ｂが角穴３３から突出した状態で保持されている。
【００２２】
付勢ばね３１は、図１および図２に示すように、ピニオンギヤ３０ｂとバネ押え部３０ｃ間で回転軸３０の本体軸部３０ａを挟み込み可能に曲げ成形され、バネ力が回転軸３０の圧縮コイルばね３４より強い板バネ材からなる。ストッパ３２は、比較的肉厚な金属片をＬ板状に曲げ成形してなり、一片に取付板部３２ａを設ける一方、他片に突当て板部３２ｂを形成してなる。なお、図中符号３７は、取付ブロック１１の部品組付け面１１ａに被せる外装カバーである。したがって、外装カバー３７には、スタッド２７・２７および回転軸３０のバネ押え部３０ｃを通す挿通穴３７ａ‥があけられている。
【００２３】
そして、ロック手段Ａでは、上述した取付ブロック１１を、ロックバー１０に差込み口１８から差し込み、ガイドレール部２６・２６をガイド長溝１６・１６に係合させて組み付ける。取付ブロック１１には、ピニオンギヤ３０ｂとばね押え部３０ｃ間で付勢ばね３１を挟持した状態で、ピニオンギヤ３０ｂを貫通穴２５ａに挿入すると共に、付勢ばね３１を差込み細溝２５ｂに差し入れて、回転軸３０を軸方向に移動自在に立設する。このとき、回転軸３０は、付勢ばね３１によりロックバー１０の溝部底面１５側へ常時付勢され、ピニオンギヤ３０ｂがラック２０の表示切換用ギヤ部２０ａと噛み合うと共に、ガイドピース３５の先端係合部３６ｂが回転規制溝２１の規制溝部２１ｂ・２１ｃに係合する位置で位置決め保持される。
【００２４】
なお、ストッパ３２は、突当て板部３２ｂを取付ブロック１１の側面に当てがい、一方の取付板部３２ａを取付用切欠き２５ｃに嵌めこんで固着する。それから、取付ブロック１１の部品組込み面１１ａに外装カバー３７を被せて、図７に示すようにロック手段Ａが組み立てられる。
【００２５】
一方、取手Ｂは、図１および図２に示すように、表示板４０と取手ケース４１および取付金具４２を備える。表示板４０は、円板４３の裏面中心に管軸状の回転受軸４４を立設している。回転受軸４４に有する中空穴４４ａは、上記回転軸３０の角軸形状に合わせて略矩形状に穿設された貫通穴で、円板４３の中心を貫通している。なお、中空穴４４ａは、その深さ方向中段位置から円板中心の開口までの穴形状を、より細径に形成し、中段穴位置に段差を設けてなる。円板４３には、板表面を等分に２つに色分けし、ドアＤの施解錠状態を識別する半円の区分表示面が施されている。
【００２６】
取手ケース４１は、樹脂製でキャップ状に成形され、その楕円状表面の中心に、回転受軸４４の中空穴４４ａを臨ませる非常操作穴４１ａを設け、その非常操作穴４１ａと隣接して表示窓４５が開けられている。取付金具４２は、中央に表示板４０の回転受軸４４を通す挿通穴４２ａが設けられている。なお、図中符号４６は、板バネからなるＯリングである。
【００２７】
そして、取手Ｂでは、取付金具４２を、取付穴ｘ・ｙ・ｚが予め穿設されたドアＤの所定取付位置に組み付ける。取付金具４２は、その挿通穴４２ａを、中間の取付穴ｙに合わせてドアＤの所定位置にねじ止めする。他方、ロック手段Ａの側において、ドアＤの内側から、回転軸３０とスタッド２７・２７をそれぞれ取付穴ｘ・ｙ・ｚに挿通させる一方、取手Ｂの側から、表示板４０の回転受軸４４を中間の取付穴ｙに挿通し、回転軸３０をＯリング４６を介して係合させる。そして、ネジ４９・４９をスタッド２７・２７の雌ねじ穴に捩じ込み、ロック手段Ａを、間にドアＤを挟んで取手Ｂの取付金具４２に締着する。それから、表示板４０を覆って取付金具４２に取手ケース４１を被せ、取付金具４２にビス止めする。こうしてスライド式ロック装置は組み立てられ、図８に示すようにドアＤに組み付けられてなる。
【００２８】
さて、上述した構成のスライド式ロック装置は、使用時、ドアＤをロックするときは、ロックバー１０を持って図８中矢示方向に摺動させる。そして、ロックバー１０が摺動ストロークＬの距離だけ摺動したとき、ストッパ３２の突当て板部３２ｂが前記凸条レール部１３の一側の突当て段部１３ａに突き当たり、ロックバー１０のスライドを止める。すると、図８中鎖線で示すとおり、ロックバー１０がドアＤとドア支持枠Ｐ間に跨る位置まで突出し、ドアＤが施錠される。なお、図８中符号５０は、この施錠時、ロックバー１０の差込み口１８側でガイド長溝１６・１６と係合する止め具である。
【００２９】
一方、ドアＤをロック解除する場合は、ロックバー１０を矢示方向と反対向きに摺動ストロークＬの距離だけ摺動させる。つまり、ストッパ３２の突当て板部３２ｂが凸条レール部１３の他側の突当て段部１３ｂに突き当たって止まる位置までスライドさせて、ドアＤのロックを解除する。
【００３０】
以上のようにロックバー１０を往復摺動させてドアＤを施解錠するとき、同時にロックバー１０の摺動ストローク途中で、ラック２０の表示切換用ギヤ部２０ａにピニオンギヤ３０ｂが噛み合うと、ピニオンギヤ３０ｂが表示板４０と一体に正逆方向へ半回転し、その回動方向に応じて、表示窓４５から臨む表示板４０の区分表示面が切り換わってドアＤの施解錠状態が外部に表示される。
【００３１】
さて、本発明のスライド式ドアロック装置では、上述のようにロックバー２を往復摺動させてドアＤを施解錠するときに、ピニオンギヤ３０ｂが表示切換用ギヤ部２０ａとの噛み合いを外れて回転規制溝２１の逃げ溝部２１ｃ上を通り過ぎると、同時に、図５に示すように、ガイドピース３５の先端係合部３６ｂが回転規制溝２１の規制溝部２１ａ・２１ｂに係合し、ピニオンギヤ３０ｂのそれ以上の回転がガイドピース３５によって規制される。従って、ピニオンギヤ３０ｂは、表示切換用ギヤ部２０ａとの噛み合いが外れても、回転後に遠心力の影響を受けることがなく、表示板４０と共に半回転すると、それ以上の回転が常に阻止される。その結果、表示板４０は、異なる半円の区分表示面にてドアの施解錠状態をズレなく正確に表示窓４５から切換表示することができる。
【００３２】
一方で、ドアの施錠状態で使用者がトイレ内で倒れるなど、緊急事態の発生した非常時は、ドアＤの外側から、図示しないが、例えば非常解錠用工具を用い、その細長な先端キー部分を、取手Ｂの非常操作穴４１ａを通して表示板４０の中空穴４４ａの中段位置まで差し込み、付勢ばね３１に抗して回転軸３０をドアＤの内側へ押し込み、図９および図１０に示すように、ピニオンギヤ３０ｂを非常時解錠用ギヤ部２０ｂに噛み合わせる。そして、回転軸３０を押し込み状態のまま、非常解錠用工具を解錠方向へ押し回してピニオンギヤ３０ｂを回転し、順次、表示切換用ギヤ部２０ａと非常時解錠用ギヤ部２０ｃに噛み合わせながら、ロックバー１０を図中矢示方向の解錠位置へ摺動させてドアＤを非常解錠する。
【００３３】
さて、この非常解錠時も、ガイドピース３５は、先端係合部３６ｂが回転規制溝２１の規制溝部２１ａに係合している。しかし、本発明のスライド式ドアロック装置では、非常解錠時、図１１に示すように回転軸３０を押し込んで回動すると、ピニオンギヤ３０ｂが非常時解錠用ギヤ部２０ｂと噛み合い状態になる一方で、回転軸３０の角穴３３内で圧縮コイルばね３４が圧縮され、その圧縮距離だけ、ガイドピース３５は、僅かに角穴３３内へ引き込まれるため、圧縮コイルばね３４のバネ性に抗して先端係合部３６ｂのテーパ面ｔが規制溝部２１ａの溝面を滑りながら回動することが許容される。その結果、非常解錠時には、ガイドピース３５が回転規制溝２１と係合状態にあっても、回転軸３０を押し回すと、ピニオンギヤ３０ｂを回転してロックバー１０を解錠方向へ簡単に摺動させることができる。
【図面の簡単な説明】
【００３４】
【図１】本発明のスライド式ドアロック装置を示す分解斜視図である。
【図２】スライド式ドアロック装置を図１と反対向きで示す分解斜視図である。
【図３】ロックバーの溝部内を示す平面図である。
【図４】ロック手段の内部構造を示す平面図である。
【図５】ロック手段を示す縦断面図である。
【図６】回転軸の構造を示す分解斜視図である。
【図７】ロック手段を示す組立斜視図である。
【図８】スライド式ドアロック装置をドア取付状態において示す側面図である。
【図９】非常解錠時におけるロック手段の内部構造を示す平面図である。
【図１０】非常解錠時におけるロック手段の内部構造を示す側面図である。
【図１１】非常解錠時におけるロック手段を示す縦断面図である。
【図１２】従来のスライド式ドアロック装置をドア取付状態で示す側面図である。
【図１３】他の従来のスライド式ドアロック装置に備えたロック手段の内部構造を示す側面図である。
【符号の説明】
【００３５】
Ａ              ロック手段
Ｂ              取手
Ｄ              ドア
１０            ロックバー
１１            取付ブロック
２０            ラック
２０ａ          表示切換用ギヤ部
２０ｂ・２０ｃ  非常解錠用ギヤ部
２１            回転規制溝
３０            回転軸
３０ｂ          ピニオンギヤ
３１            付勢ばね（付勢手段）
３３            角穴
３４            圧縮コイルばね
３５            ガイドピース
３６ｂ          先端係合部
ｔ              テーパ面
【図１】
2005120767.tif 000003
【図２】
2005120767.tif 000004
【図３】
2005120767.tif 000005
【図４】
2005120767.tif 000006
【図５】
2005120767.tif 000007
【図６】
2005120767.tif 000008
【図７】
2005120767.tif 000009
【図８】
2005120767.tif 000010
【図９】
2005120767.tif 000011
【図１０】
2005120767.tif 000012
【図１１】
2005120767.tif 000013
【図１２】
2005120767.tif 000014
【図１３】
2005120767.tif 000015